(57)【特許請求の範囲】
【請求項１】
遊技に関する制御を行う制御基板が収容されるケース体と、該ケース体に被着されるカバー体とからなる基板収容ボックスを備えた遊技機において、前記カバー体とケース体のいずれか一方には、挿入ピンが挿通されるピン挿入孔が形成された複数個のピン挿入台が切断可能に設けられ、他方には、前記各ピン挿入台のピン挿入孔に対応した位置に前記挿入ピンが係合される複数のピン係合孔が形成された弾性変形可能なピン固定具を収容する固定具収容台が設けられ、該固定具収容台には前記ピン固定具の少なくともピン挿入側を覆いながら係合して収容可能な収容溝が設けられ、該収容溝には、前記ピン固定具の収容が係合位置でない状態ではピン固定具を弾性変形させ、係合位置では復帰変形させて係合させる変形誘導部が形成されていることを特徴とする遊技機。
【請求項２】
前記固定具収容台の収容溝には、前記ピン固定具を収容案内するための案内部が形成されていることを特徴とする請求項１に記載の遊技機。
【請求項３】
前記ピン固定具には係合片が形成されると共に、前記固定具収容台には該係合片が係合する係合凹部が形成されていることを特徴とする請求項１又は２に記載の遊技機。
【発明の詳細な説明】
【０００１】
【発明の属する技術分野】
本発明は遊技機に関し、さらに詳しくは、パチンコ遊技機やスロットルマシン等の遊技機の遊技盤裏面等に遊技に関する制御を行う制御基板を収容した状態で取り付けられる基板収納ボックスを備えたものにおいて、その基板収納ボックスの不正開封を防止する不正行為防止対策が施されたその不正防止機構に関するものである。
【０００２】
【従来の技術】
近年、パチンコ遊技機やスロットルマシン等の遊技機は、遊技盤に設けられる各種入賞装置や図柄変動表示装置等を制御して、遊技の興趣を盛り上げるようにしたものが主流となっており、これらの入賞装置や図柄変動装置等の制御は、ＩＣやＬＳＩ等の多数の電子部品を配設したロジック制御の回路基板、あるいはマイクロコンピュータを備えた制御基板等により行われる。このような遊技機の遊技内容を制御する制御基板は、一般的に遊技盤の裏面側に取り付けられた基板収納ボックス内に収納される。
【０００３】
基板収納ボックスは樹脂製又は金属製で形成されており、ＩＣや抵抗等の各種電子部品が多数実装された制御基板等をボックス内に収容して、基板上のプリント回路の短絡を防ぐために、埃等のゴミが侵入しないように保護しており、主に遊技機裏面の機構板等に取り付けられる。例えば、役物制御装置においては、制御回路内にＣＰＵ、ＲＯＭ、ＲＡＭ等が設けられており、ＲＯＭに記憶された制御プログラムに従って遊技機の制御が行われ、大当たり等もここで制御されている。
【０００４】
このような制御基板を収容する基板収納ボックスは、カバー体とケース体とを重ね合わせたボックス構造を有して、他の各種電気装置と電気接続される制御基板のコネクタ部分がボックスから露出されるように設けられており、各種配線をそのコネクタ部に差し込むことにより、それぞれ電気装置に関わる制御が可能になっている。
【０００５】
この制御基板を収容する基板収納ボックスに対する不正行為は、上蓋となるカバー体をケース体から外して、開放された制御基板に備えられたＲＯＭ等の電子部品を交換、あるいはデータ内容の書き換えを行うことにより、通常の遊技制御と比較して、例えば大当たりを頻繁に発生させる等の不正な遊技制御を行わせるようなものである。
【０００６】
従来用いられてきた基板収納ボックスにおける制御基板を封止する構造は、一旦封止が開封されると、開封された痕跡が残るように、カバー体とケース体とをビス止め組付けした後、それらの合わせ目に封印シールを貼ったり、基板収納ボックスをアクリルなどの透明な合成樹脂材料により形成して、内部に収容されている制御基板の状態が外部から視認できるようにして不正行為が確認できるようにしていたが、本物そっくりの偽封印シールや特殊な剥離剤などを使用する不正行為者に対しては効果がないのが実状である。
【０００７】
このような不正行為を防止するために、基板収納ボックスを開封不可能あるいは開封が極めて困難な構造にして、ボックスそのものを破壊するしか開封する方法がないように封止することも考えられるが、公的機関によるＲＯＭ検査や修理等のメンテナンス性を考えると現実的でない。そこで、これらの対策として、図１５〜図１９に示されるような基板収納ボックスの封止構造のものが提案されている。図１５は基板収納ボックス２００の外観斜視図、図１６はその分解斜視図、図１７は上面図、図１８は基板収納ボックス２００の側面に設けられた封止部２０１のＡ−Ａ断面である横断面図、図１９はその縦断面図を示している。
【０００８】
図示されるように、この基板収納ボックス２００は、主制御基板２０３が収容されるケース体２０１、そのケース体２０１に被着されるカバー体２０２、これらを連結するための挿入ピン２１１とから構成される。
【００９】
ケース体２０１はアクリル等の透明な合成樹脂材料により略箱形状に形成されており、その底面に載置された主制御基板２０３の４隅角部をネジ２０４止めにより収容固定している。この主制御基板２０３を収容するケース体２０１の左右両外側面（図面では片側のみ図示）には、ケース側封止部２０５として上面が開口された長手ボックス形状の固定具収容台２１２がケース体２０１と一体的に連結して設けられ、その内部には図１８及び図１９で示すような金属製板材により折り曲げ形成されたピン固定具２１３がタッピンネジ２０７によって固定具収容台２１２の内部にネジ止め固定されている。
【００１０】
このピン固定具２１３には、挿入ピン２１１の先端部２１１ａが挿入された際には、抜脱不能に係合する係合孔２１３ａが設けられている。その係合孔２１３ａの内周縁には、挿入ピン２１１の先端部２１１ａに周設された凹状の係合溝２１１ｂに係合する係合片２１３ｂがやや斜め下向きに突設して形成されている。
【００１１】
また、このケース体２０１に被着されるカバー体２０２の左右両外側面（図面では片側のみ図示）には、カバー側封止部２０６として複数個（この例では４個）のピン挿入台２１５が切断可能に形成された連結部２１８を介して一体的に整列して設けられると共に、それらピン挿入台２１５の両サイドには前述のピン固定具２１３をネジ止め固定したタッピンネジ２０７を上方から覆うネジ隠し片２１７，２１７が設けられている。
【００１２】
整列して設けられたピン挿入台２１５，２１５，・・には、図１９に示すように挿入ピン２１１が予め装着されている。この挿入ピン２１１はアルミ等の金属製棒材により切削形成又は合成樹脂材料により一体成形されたもので、フランジ状の頭部２１１ｅと円柱状の本体部２１１ｄを備えている。円柱状の本体部２１１ｄの途中位置には、その本体部２１１ｄ外径よりもやや太径にローレット状のリング部２１１ｃが形成されており、挿入ピン２１１を遊挿させた状態でピン挿入台２１５に挿入させておくことができる。
【００１３】
また、これらピン挿入台２１５，２１５，・・とカバー体２０２の側壁とを連結している連結部２１８，２１８，・・はニッパ等の工具によって簡便に切断可能な形状に形成されており、この連結部２１８，２１８，・・のうち封止された箇所の連結部２１８を切断することで、封止箇所のピン挿入台２１５はカバー体２０２から離れることになる。
【００１４】
このような構造の基板収納ボックス２００は、その内部への主制御基板２０３の封止・開封を複数回行うことができるようになっている。図１５に示されるようにカバー体２０２の上面左右には、対角になるように番号表示（この場合１〜４）がされており、例えば、初めて封止するときは左右の番号「１」が附された部分の挿入ピン２１１を叩き込んで封止する。主制御基板２０３のＲＯＭ等を検査するときは、左右の番号「１」が附された部分の連結部２１８を切断することで開封することができる。そして再度封止するには、左右の番号「２」が附された部分の押圧ピン２１１を叩き込むことで封止することができる。このように収納されている主制御基板２０３のＲＯＭ検査や修理などの正規の理由による開封・封止が複数回行うことができるので、メンテナンス性も良いというものである。
【００１５】
【発明が解決しようとする課題】
しかしながら、このような構造の基板収納ボックス２００では、挿入ピン２１１と係合するピン固定具２１３はその両端部をケース体２０１の固定具収容台２１２にタッピンネジ２０７によってネジ止め固定するのが一般的であるが、製造工程においては、このようなネジ止め作業は手間や時間も掛かるため、組付けの作業性の向上を図って低コスト化することが難しいという問題があった。
【００１６】
また、ネジ止めした部分を隠すために、被着されるカバー体２０２に設けられたネジ隠し片２１７，２１７で覆う構成となっているため、このネジ隠し片２１７，２１７を復元可能に巧妙にカバー体２０２から切断して、ネジを外してボックスを開封してしまったり、さらには、固定具収容台２１２下面のネジ止め位置に孔を開け特殊な工具を挿入して、ネジを強引に外してしまうことも不可能ではなく、セキュリティー性の向上も図ることが困難であった。
【００１７】
本発明の解決しようとする課題は、遊技機本体の裏面や遊技盤裏面に設けられる制御基板が収容される基板収納ボックスの組付けが容易で、さらには痕跡を残さないで開封することを困難にしてセキュリティー性を向上させ、遊技機に対する不正行為を未然に防止することである。
【００１８】
【課題を解決するための手段】
この課題を解決するために本発明に係る遊技機は請求項１に記載のように、遊技に関する制御を行う制御基板が収容されるケース体と、該ケース体に被着されるカバー体とからなる基板収容ボックスを備えた遊技機において、前記カバー体とケース体のいずれか一方には、挿入ピンが挿通されるピン挿入孔が形成された複数個のピン挿入台が切断可能に設けられ、他方には、前記各ピン挿入台のピン挿入孔に対応した位置に前記挿入ピンが係合される複数のピン係合孔が形成された弾性変形可能なピン固定具を収容する固定具収容台が設けられ、該固定具収容台には前記ピン固定具の少なくともピン挿入側を覆いながら係合して収容可能な収容溝が設けられ、該収容溝には、前記ピン固定具の収容が係合位置でない状態ではピン固定具を弾性変形させ、係合位置では復帰変形させて係合させる変形誘導部が形成されていることを要旨とするものである。
【００１９】
上記構成を有する基板収納ボックスによれば、ケース体にカバー体を被着して、いずれか一方に設けられたピン挿入台と、他方に設けられた固定具収容台の収容溝に係合して収容固定されたピン固定具とを、挿入ピンによって連結させることで、制御基板をボックス内に封止する。
【００２０】
ピン固定具は、固定具収容台の収容溝に係合して収容されることにより固定されているので、従来技術のようなネジ止めによる固定よりも組付けが容易で作業性の向上を図ることができる上に、従来技術のようなネジ隠し片のようなものがネジと共に不要となりコストダウンになる。
【００２１】
さらに、ピン固定具はその少なくともピン挿入側が覆われながら収容溝に係合して収容されているので、ピン固定具が収容溝内で係合している部分への不正行為によって、その係合を外すことは、その覆っている収容溝つまり固定具収容台そのものを破壊することになるため、確実にその不正行為の痕跡を残すことができる上に、その痕跡を消す為の復元も極めて困難である。さらに前記収容溝は、前記ピン固定具の少なくともピン挿入側全体を覆いながら係合して収容可能に形成されているので、それらがより困難なものになる。従って、収納されている制御基板への不正行為のために開封が行われた場合には早期に発見されるとともに、不正行為の痕跡を消すこともできないので、このような不正行為者による不正開封の行為を抑制することができる。
【００２２】
この場合、前記固定具収容台の収容溝には、前記ピン固定具の収容が係合位置でない状態では、ピン固定具を弾性変形させ、係合位置では復帰変形させて係合させる変形誘導部が形成されているので、ピン固定具の収容溝への収容が弾性変形によって容易になるばかりか、ピン固定具の収容が係合位置でない状態では、ピン固定具を弾性変形させ、係合位置では復帰変形させて係合させる変形誘導部によって、係合がより強固になり外れにくくなる。
【００２３】
また、請求項２に記載のように、前記固定具収容台の収容溝には、前記ピン固定具を収容案内するための案内部が形成されている構成にすれば、ピン固定具の収容溝への収容の際に、ずれることなく溝内へ案内されるので収容し易い。
【００２４】
さらに、請求項３に記載のように、前記ピン固定具には係合片が形成されると共に、前記固定具収容台には該係合片が係合する係合凹部が形成されていれば、従来のようにネジ止め作業の手間や時間が掛からないし、組付け作業性は向上し、作業コストの低廉化も実現できる。
【００２５】
【発明の実施の形態】
以下、本発明の好適な一実施形態を図面を参照して詳細に説明する。 図１は、遊技機の一例としてのパチンコ遊技機の概略構成の正面図を示したものである。図示されるようにパチンコ遊技機１０は、遊技機本体の側部を構成する外枠１１と前面部のベースとなる内枠１２とを備える。この内枠１２の開口部周縁には額縁状の金枠１３が嵌められており、その内側には遊技盤１４の前面を覆うガラス扉１５が設けられる。
【００２６】
ガラス扉１５の下方位置には、遊技球を貯留するための上受け皿１６とその上受け皿１６から溢れた遊技球を貯留するための下受け皿１７が縦列して設けられる。この上受け皿１６には球抜きボタン１８が設けられ、これを操作すると上受け皿１６内の遊技球が下受け皿１７に向けて抜き落とされる。又、下受け皿１７の図中右側位置には、遊技球を発射するための発射レバー２０が設けられ、その回動操作量に応じて打球の強さが調整されると共に図示しない発射モータの電源が投入される。更に発射レバー２０には遊技球を単発発射させるための単発スイッチ２１も備えられており、遊技状況に応じて使い分けることが可能に構成されている。
【００２７】
また、このパチンコ遊技機１０の左側部にはプリペイドカードによる球の貸し出しを行うプリペイドカードユニット２２が並設されており、その操作は上受け皿１６の前面部に設けられた球貸し操作部２３によって行われる。球貸し操作部２３には、プリペイドカードによる遊技球の貸出しを操作する球貸しボタン２４、その貸出しの可否状態を示す球貸しランプ２５、カード挿入口２６からプリペイドカードを排出させるカード返却ボタン２７、プリペイドカードの残高表示及びエラー表示を行う度数表示部２８等が備えられる。
【００２８】
遊技盤１４面のほぼ中央には特別図柄表示装置５０が設けられており、その画面には数字やキャラクタ等の図柄が動画表示される。この特別図柄表示装置５０の真下位置には常時入賞可能な第一始動入賞口５２ａと、可変翼が開放された時にのみ入賞可能となる第二始動入賞口５２ｂを備える始動入賞口５２が設けられており、始動入賞口５２に遊技球が入賞すると特別図柄表示装置５０に表示される図柄が変動を開始する。
【００２９】
また、始動入賞口５２の真下位置には通常は閉鎖されている大入賞口５３が設けられており、その内部には大入賞口５３が開放された時にのみ入賞可能となる特定入賞口５４が設けられている。又、大入賞口５３の左右位置には普通入賞口である左落し入賞口６０、右落し入賞口６１が、それらの上方位置には左袖入賞口６２、右袖入賞口６３が各々設けられ、これらの入賞口へ遊技球が入賞すると所定個数の賞品球が払出される。
【００３０】
特別図柄表示装置５０の周囲には装飾枠体６４が設けられる。この装飾枠体６４の上部に形成された半円弧形状の装飾枠部には、普通図柄表示装置６５が設けられ、「０」から「９」までの数字が７セグメントでもってデジタル表示される。更に、本遊技盤１４面には遊技球の落下方向を無作為に変更させたり、その流下速度を変化させる風車やランプ風車、左ゲート６６、右ゲート６７が設けられ、このゲート６６、６７を遊技球が通過すると普通図柄表示装置６５が変動を開始し、所定図柄が表示確定されると前述の始動入賞口５２の第二始動入賞口５２ｂが一定時間開放される。
【００３１】
始動入賞口５２に遊技球が入賞すると、特別図柄表示装置５０に表示される判定用図柄が変動を開始し、所定時間（例えば５秒間）が経過すると停止して図柄が表示確定される。ここで確定された図柄の組み合わせが予め設定された所定の組み合わせと一致すると、それまで閉鎖されていた大入賞口５３が開放され、いわゆる「大当たり」と称される特別な遊技状況が開始されることになる。
【００３２】
このように、遊技盤１４面に設けられる各入賞口に遊技球が入賞（又は通過）すると諸処の遊技状況が発生する契機となると共に、所定個数の賞品球が上受け皿１６の左側上部に設けられる球出口２９から払い出される。但し、何れにも入賞しなかった遊技球は、遊技盤１４面の最下部に設けられる排出口６８から遊技盤１４の裏面へと排出されることになる。
【００３３】
図２は、前記パチンコ遊技機１０の裏面図である。パチンコ遊技機１０の裏面には、各種装置等を取り付けるための裏セット板７１が設けられ、その裏セット板７１の上方には、図示しない遊技場内に設置された球供給装置から供給される遊技球を一時貯留する球タンク７２が設けられる。この球タンク７２には球誘導樋７３が連接して設けられる。球誘導樋７３にはその球誘導樋７３上における遊技球の貯留状態を検知する補給スイッチ７４が設けられる。このスイッチ７４は、球誘導樋７３上での球切れ状態が発生した時に作動し、図示しない遊技場内の球供給装置から球タンク７２に遊技球を供給させるように構成されている。
【００３４】
この球誘導樋７３は図示しない屈曲樋に接続され、この屈曲樋はその下流域でおいて枝分かれして賞球払出装置７５と球貸払出装置７６に連接される。又、この図示しない屈曲樋にはその屈曲樋内における遊技球の流下状態を検知して賞球払出装置７５及び球貸払出装置７６の空動作を未然に防止する空切り防止スイッチ７７が設けられる。
【００３５】
また、遊技機１０の裏面には、遊技に関わる制御を行うための多様な制御基板が設けられており、これらにより遊技盤１４面に設けられる各装置等の動作が設定制御される。遊技機１０と外部の各種装置とを接続する外部出力端子７８ａを含む外部出力端子基板７８、空切り防止スイッチ７７の作動を設定制御する空切り防止スイッチ基板７９、更に、前述の賞球払出装置７５及び貸球払出装置７６の作動を設定制御するＣＲ賞球払出制御基板８０、本遊技機１０の側部に設けられるプリペイドカードユニット２２と遊技機１０間における情報の授受を行うカードインターフェイス接続部８１が設けられる。
【００３６】
更に、これらの制御基板等の動作を設定制御する主制御基板８２が裏面左下方部に設けられる。主制御基板８２は、基板収納ボックス９０に収納されており、この基板収納ボックス９０を開封しなければ主制御基板８２に触れることができないようになっている。基板収納ボックス９０は、下側のケース体９１とそのケース体９１に被着されるカバー体９２とからなり、そのケース体９１内に主制御基板８２を載置して固定し、その上面をカバー体９２で覆うことで外部から触れることができないように主制御基板８２を収容している。
【００３７】
そのほかに本遊技機１０には上記以外にも多様な制御基板が設けられており、これらにより遊技盤１４面に設けられる各装置等の動作が設定制御される。例えば、打球発射に関する設定制御を行う発射装置制御基板８３や、遊技盤１４面上に設けられるランプの点灯及び消灯に関わる設定制御を行うランプ制御基板８４、遊技状況に応じて発する音声や音楽等を制御する音声制御基板８５といった各種制御基板も同様に設けられる。図３のブロック図に示されるように、これら制御基板等は直接又は間接的に主制御基板８２と接続され、その動作は主制御基板８２に制御されるようになっている。これらについての概要は周知であるので、ここでは詳細説明を省略する。
【００３８】
次に、本発明の第１の実施形態に係るパチンコ遊技機に備えられた不正行為防止のための基板収納ボックスついて図４〜図１２を参照して説明する。図４は遊技機本体の裏面に設けられる前述の基板収納ボックス９０の外観斜視図、図５及び図６は基板収納ボックスの分解斜視図、図７は両封止部の縦断面斜視図、図８はケース側の封止部の上面図、図９及び図１０は両封止部の縦断面図、図１１及び図１２は両封止部の横断面図を示した図である。
【００３９】
図示されるように、この基板収納ボックス９０は、前述の主制御基板８２が収容されるケース体９１、そのケース体９１に被着されるカバー体９２、これら両部材を連結するための挿入ピン９５とから構成される。
【００４０】
カバー体９２はアクリル等の透明な合成樹脂材料により略箱形状に形成されており、その左右両外側（図面では片側のみ図示）には、カバー側封止部９４が設けられている。このカバー側封止部９４には、複数個（この実施例では４個）のピン挿入台９６，９６，・・が切断可能に形成された連結部９６ａ，９６ａ，・・を介して設けられている。
【００４１】
このピン挿入台９６，９６，・・には、後述する挿入ピン９５が挿入されるピン挿入孔９６ｂが貫通して設けられており、挿入ピン９５のフランジ状の頭部９５ａが収容される収容部９６ｃと挿入ピン９５の本体部９５ｂが挿通される挿通部９６ｄが形成されている。
【００４２】
挿入ピン９５はアルミ等の金属製棒材により切削形成又は合成樹脂材料から成形されたもので、フランジ状の頭部９５ａと円柱状の本体部９５ｂを備えている。また、本体部９５ｂの先端部９５ｃには凹状の係合溝９５ｄが周設されている。尚、図５及び図６に示されるように、封止に用いない挿入ピン９５（実施例では３本）がカバー体９２の上壁に取付部材９１ｂによって取り付けられており、封止・開封が複数回行われる場合には適宜取り外されて用いられるようになっている。
【００４３】
主制御基板８２を収容するケース体９１も同様にアクリル等の透明な合成樹脂材料により略箱形状に形成されており、その底面に載置された主制御基板８２の４隅角部をネジ９７止めにより収容固定する。
【００４４】
このケース体９１の側壁には、被着されるカバー体９２の段部９２ａに弾発的に係合する係合爪片９１ａ，９１ａが形成されており、これらによりカバー体９２はケース体９１に被着の際に容易に外れないように仮固定される。
【００４５】
ケース体９１の左右両外側（図面では片側のみ図示）には、ケース側封止部９３が設けられている。このケース側封止部９３には図示されるように、前述の挿入ピン９５の先端部９５ｃに係合するピン固定具９８と、そのピン固定具９８を収容固定する収容溝９９ａを備えた固定具収容台９９とで構成される。
【００４６】
ピン固定具９８は、弾性変形可能な金属製板ばね部材により長方形状に成形されたもので、挿入ピン９５の先端部９５ｃに係合する係合孔９８ａが複数（この実施例では４つ）開口して形成されている。この係合孔９８ａの内周縁には、挿入ピン９５の先端部９５ｃに周設された係合溝９５ｄに係合する係合爪９８ｂが形成されており、係合の際には先端部９５ｃを抜脱不能に保持する。
【００４７】
また、このピン固定具９８の両端部には、固定具収容台９９の前台９９ｂに凹設された係合凹部９９ｃ，９９ｃに係合する係合片９８ｃ，９８ｃが形成されており、ピン固定具９８は収容溝９９ａに収容された際には、この係合凹部９９ｃに係合して収容される。
【００４８】
このピン固定具９８が収容される固定具収容台９９は、挿入ピン９５が挿入される挿入孔９９ｄを複数（この実施例では４つ）有する前台９９ｂと、同じく挿入ピン９５の先端部９５ｃが挿入される後台９９ｅとで構成されており、これら２つの台がピン固定具９８を挟み込むように設けられ、その間に収容溝９９ａが形成されている。
【００４９】
収容されるピン固定具９８を収容溝９９ａ内で固定するため、前台９９ｂの両側端部には係合凹部９９ｃ，９９ｃが凹設されており、ピン固定具９８は収容溝９９ａに収容された際には、係合片９８ｃ，９８ｃがこの係合凹部９９ｃ，９９ｃに係合して収容固定される。
【００５０】
また、この収容溝９９ａは図８に示されるように、ピン固定具９８を収容溝９９ａに収容する際に、そのピン固定具９８の収容が係合位置でない途中位置の状態、つまり係合片９８ｃ，９８ｃが係合凹部９９ｃ，９９ｃの位置まで到達していない状態では、ピン固定具９８を弾性変形させ、係合する位置まで到達すると復帰変形させて係合させるスペースとして変形誘導部９９ｆが前台９９ｂと後台９９ｅとによって形成されている。この場合図示されるように、ピン固定具９８を収容溝９９ａに挿入すると、ピン固定具９８の中央部分を膨らませるように弾性変形させ、、ピン固定具９８の係合片９８ｃ，９８ｃが前台９９ｂの係合凹部９９ｃ，９９ｃ位置まで挿入されると、ピン固定具９８を復帰変形させて係合片９８ｃ，９８ｃが係合凹部９９ｃ，９９ｃに係合して収容される。このような構造にすることにより強固に収容固定されるので外れにくい。
【００５１】
さらに、固定具収容台９９の前台９９ｂに形成された係合凹部９９ｃ，９９ｃの外側には、収容されるピン固定具９８を収容溝９９ａへ挿入案内するための案内部９９ｇ，９９ｇが凸設されており、収容をスムーズに行い易くなっている。
【００５２】
次に、このような構成の基板収納ボックス９０の組付け及び挿入ピン９５を操作して、主制御基板８２をボックス内に封止する手順について図９〜図１２を用いて説明する。
【００５３】
まず、図９（ａ）に示されるように、ケース体９１のケース側封止部９３に設けられた固定具収容台９９の収容溝９９ａへ、ピン固定具９８を収容固定すると共に、主制御基板８２をケース体９１内にネジ止め固定する。そして、図９（ｂ）に示されるように、カバー体９２を上方から、被着する。
【００５４】
被着した後、図１０（ａ）及び図１１に示されるように、側方から挿入ピン９５をカバー体９２のピン挿入台９６に挿入する。そして、図１０（ｂ）及び図１２に示されるように、挿入された挿入ピン９５の頭部９５ａをネジ回しドライバー等の工具を用いて、側方から叩き込む等の押圧動作により、先端部９５ｃの係合溝９５ｄがピン固定具９８の係合孔９８ａの内周縁に形成された係合爪９８ｂが嵌り込んで係合する。
【００５５】
このようにして、カバー体９２に設けられたピン挿入台９６と、ケース体９１に設けられた固定具収容台９９の収容溝９９ａに係合して収容固定されたピン固定具９８とが、挿入ピン９５によって連結されることで、主制御基板８２はボックス内に封止される。
【００５６】
ピン固定具９８は、固定具収容台９９の収容溝９９ａに係合して収容されることにより固定されているので、従来技術のようなネジ止めによる固定よりも組付けが容易で作業性の向上を図ることができる上に、従来技術のようなネジ隠し片のようなものがネジと共に不要となる。さらには、ネジによる固定を採用しないことにより、巧妙にネジが外されていまうということがなくなる。
【００５７】
また、ピン固定具９８は図示されるように、その挿入ピン９５が挿入される側全体が、前台９９ｂに覆われて収容溝９９ａに収容されているので、ピン固定具９８が収容溝９９ａ内で係合している部分である係合凹部９９ｃ等への不正行為によって、その係合を外すことは、その覆っている前台９９ｂや収容溝９９ａ、つまり固定具収容台９９そのものを破壊することが必要になる。そのような破壊は確実にその痕跡を残すことができる上に、その痕跡を消す為の復元も極めて困難である。
【００５８】
従って、収納されている制御基板への不正行為のために開封が行われた場合には早期に発見されるとともに、不正行為の痕跡を消すこともできないので、このような不正行為者による不正開封の行為を抑制することができる。
【００５９】
尚、ピン挿入台が切断可能な連結部９６ａを介して複数設けられていると共に、ピン固定具９８の挿入ピン９５との係合孔９８ａも複数設けられているので、基板収納ボックス９０の開封・封止を複数回行うことができるようになり、主制御基板８２の公的機関によるＲＯＭ検査や修理などの正当な理由によって開封した場合でも再度収納して封止することが可能になり、メンテナンス性も良くなる。
【００６０】
次に、本発明の第２の実施形態として、従来技術で説明した基板収納ボックス２００に第１の実施形態で説明した封止構造を適用させた場合のものについて図１３及び図１４を参照して説明する。図１３は基板収納ボックスの分解斜視図、図１４は両封止部の縦断面を示した図である。尚、この基板収納ボックスは、従来例のものとはケース体の封止部の構造のみ異なっているだけなので、従来例と同一の構成については同符号を付して説明は省略し、異なる点を中心に説明する。
【００６１】
図示されるように、この基板収納ボックス１１０のケース体２０１の左右両外側（図面では片側のみ図示）には、ケース側封止部１１３が設けられている。このケース側封止部１１３には図示されるように、挿入ピン２１１の先端部２１１ａに係合するピン固定具１１８と、そのピン固定具１１８を収容固定する収容溝１１９ａを備えた長手ボックス形状の固定具収容台１１９とで構成される。
【００６２】
ピン固定具１１８は、弾性変形可能な金属製板ばね部材により長方形状に成形されたもので、挿入ピン２１１の先端部２１１ａに係合する係合孔１１８ａが複数（この実施例では４つ）開口して形成されている。この係合孔１１８ａの内周縁には、挿入ピン２１１の先端部２１１ａに周設された係合溝２１１ｂに係合する係合爪１１８ｂが形成されており、係合の際には先端部２１１ａを抜脱不能に保持する。
【００６３】
また、このピン固定具１１８の両端部には、固定具収容台１１９の下台１１９ｅに凹設された係合凹部１１９ｃ，１１９ｃに係合する係合片１１８ｃ，１１８ｃが形成されており、ピン固定具１１８は収容溝１１９ａに収容された際には、この係合凹部１１９ｃに係合して収容される。
【００６４】
このピン固定具１１８が収容される固定具収容台１１９は、挿入ピン２１１が挿入される挿入孔１１９ｄを複数（この実施例では４つ）有する上台１１９ｂと、同じく挿入ピン２１１の先端部２１１ａが挿入される下台１１９ｅとで構成されており、これら２つの台がピン固定具１１８を挟み込むように設けられ、その間に収容溝１１９ａが形成されている。
【００６５】
収容されるピン固定具１１８を収容溝１１９ａ内で固定するため、下台１１９ｅの両側には係合凹部１１９ｃ，１１９ｃが凹設されており、ピン固定具１１８は収容溝１１９ａに収容された際には、係合片１１８ｃ，１１８ｃがこの係合凹部１１９ｃ，１１９ｃに係合して収容固定される。
【００６６】
また、この収容溝１１９ａには図示しないが前述の変形誘導部と同様のものがに形成されており、ピン固定具１１８を収容溝１１９ａに挿入すると、ピン固定具１１８を弾性変形させ、、ピン固定具１１８の係合片１１８ｃ，１１８ｃが下台１１９ｅの係合凹部１１９ｃ，１１９ｃ位置まで挿入されると、ピン固定具１１８を復帰変形させて係合片１１８ｃ，１１８ｃが係合凹部１１９ｃ，１１９ｃに係合して収容される。このような構造にすることにより強固に収容固定されるので外れにくい。
【００６７】
次に、このような構成の基板収納ボックス１１０の組付け及び挿入ピン２１１を操作して、主制御基板８２をボックス内に封止する手順について説明する。
【００６８】
まず、ケース体２０１のケース側封止部１１３に設けられた固定具収容台１１９の収容溝１１９ａへ、ピン固定具１１８を収容固定すると共に、主制御基板２０３をケース体２０１内にネジ止め固定し、カバー体２０２を上方から被着する。
【００６９】
被着した後、図１４に示されるように、予めピン挿入台２１５に挿入された挿入ピン２１１の頭部２１１ａをネジ回しドライバー等の工具を用いて、上方から叩き込む等の押圧動作により、先端部２１１ａの係合溝２１１ｄがピン固定具１１８の係合孔１１８ａの内周縁に形成された係合爪１１８ｂ嵌り込んで係合する。
【００７０】
このようにして、カバー体２０２に設けられたピン挿入台２１５と、ケース体２０１に設けられた固定具収容台１１９の収容溝１１９ａに係合して収容固定されたピン固定具１１８とが、挿入ピン２１１によって連結されることで、主制御基板２０３はボックス内に封止される。
【００７１】
ピン固定具１１８は、固定具収容台１１９の収容溝１１９ａに係合して収容されることにより固定されているので、従来技術のようなネジ止めによる固定よりも組付けが容易で作業性の向上を図ることができる上に、従来技術のようなネジ隠し片のようなものがネジと共に不要となる。さらには、ネジによる固定を採用しないことにより、巧妙にネジが外されていまうということがなくなる。
【００７２】
また、ピン固定具１１８は図示されるように、その挿入ピン２１１が挿入される側全体が、上台１１９ｂに覆われて収容溝１１９ａに収容されているので、ピン固定具１１８が収容溝１１９ａ内で係合している部分である係合凹部１１９ｃ等への不正行為によって、その係合を外すことは、その覆っている上台１１９ｂや収容溝１１９ａ、つまり固定具収容台１１９そのものを破壊することが必要になる。そのような破壊は確実にその痕跡を残すことができる上に、その痕跡を消す為の復元も極めて困難となり、収納されている制御基板への不正行為のために開封が行われた場合には早期に発見されるとともに、不正行為の痕跡を消すこともできないので、このような不正行為者による不正開封の行為を抑制することができる。
【００７３】
以上本発明の実施形態について説明したが、本発明はこうした実施形態に何ら限定されるものではなく、本発明の趣旨を逸脱しない範囲において、種々なる態様で実施できることは勿論である。例えば、ピン挿入台において挿入ピンの封止方向への移動を規制する構造として上述のものでは、挿入ピンのフランジ状の頭部と、ピン挿入台の収容部によって挿入方向への移動を規制した構造を示したが、上記実施例のように限定されるものではなく、要は封止に用いられた挿入ピンによってカバー体が確実に開封方向への移動が規制される（つまり開封できない）構造のものであれば良い。
【００７４】
また、上記実施例では、この遊技機の遊技内容を制御するメインの制御基板である主制御基板の基板収納ボックスに適用した例を示したが、遊技機に備えられるそれ以外の制御基板等を収納するボックスについても適用可能なのは言うまでもない。
【００７５】
【発明の効果】
本発明に係る遊技機によれば、基板収納ボックスを部分的に壊すなどしない限り、制御基板を取り出すことが不可能で、痕跡を残すことなく不正行為をすることはできない上に、その痕跡修復などして消すことが非常に困難であり、さらにはその組付けが容易な構造なので、作業性の向上を図って低コスト化することが可能になる。
【図面の簡単な説明】
【図１】本発明の一実施形態に係るパチンコ遊技機の正面図である。
【図２】図１に示されたパチンコ遊技機の裏面を示した図である。
【図３】制御基板の接続を示したブロック図である。
【図４】本発明の一実施形態に係る基板収納ボックスの外観斜視図を示した図である。
【図５】図４の基板収納ボックスを外側から見た分解斜視図。
【図６】図４の基板収納ボックスを内側から見た分解斜視図。
【図７】封止部の縦断面を示した斜視図である。
【図８】ケース側の封止部の上面図を示した図である。
【図９】基板収納ボックスの組付け手順を示した縦断面図である。
【図１０】基板収納ボックスの封止手順を示した縦断面図である。
【図１１】基板収納ボックスの封止手順を示した横断面図である。
【図１２】図１１の基板収納ボックスの次の封止手順を示した横断面図である。
【図１３】他の実施形態に係る基板収納ボックスの分解斜視図を示した図である。
【図１４】図１３の基板収納ボックスの封止部の横断面図を示した図である。
【図１５】従来一般に知られる基板収納ボックスの外観斜視図を示した図である。
【図１６】図１５の基板収納ボックスの分解斜視図を示した図である。
【図１７】図１５の基板収納ボックスの上面図を示した図である。
【図１８】封止部の縦断面図を示した図である。
【図１９】封止部の横断面図を示した図である。
【符号の説明】
１０  パチンコ遊技機
８２  制御基板
９０  基板収納ボックス
９１  ケース体
９２  カバー体
９３  ケース側封止部
９４  カバー側封止部
９５  挿入ピン
９６  ピン挿入台
９８  ピン固定具
９８ａ  係合片
９９  固定具収容台
９９ａ  収容溝
９９ｂ  前台
９９ｃ  係合凹部
【図１】
0003761420.tif 000002
【図２】
0003761420.tif 000003
【図３】
0003761420.tif 000004
【図４】
0003761420.tif 000005
【図５】
0003761420.tif 000006
【図６】
0003761420.tif 000007
【図７】
0003761420.tif 000008
【図８】
0003761420.tif 000009
【図９】
0003761420.tif 000010
【図１０】
0003761420.tif 000011
【図１１】
0003761420.tif 000012
【図１２】
0003761420.tif 000013
【図１３】
0003761420.tif 000014
【図１４】
0003761420.tif 000015
【図１５】
0003761420.tif 000016
【図１６】
0003761420.tif 000017
【図１７】
0003761420.tif 000018
【図１８】
0003761420.tif 000019
【図１９】
0003761420.tif 000020